(57)【要約】【課題】  移動家具部用の引き込み装置であって、ローラ上に巻き付け可能な牽引手段（１１）を有し、ローラを駆動するための電動モータが設けられ、移動家具部を電気駆動部に解除可能に連結するための連結部を有し、この連結部は、移動家具部に固定するために規定されている第１連結部分（２）と、牽引手段に連結される第２連結部分（３）とを有し、第１連結部分（２）が、少なくとも部分的に第２連結部分（３）を受容するための開口部を有する引き込み装置であって、ロック機構（５）が設けられ、これにより、第１連結部分（２）が、第２連結部分（３）と、少なくとも２つの異なる位置において連結可能であり、第２連結部分（３）は、双方の異なる位置において、開口部（４）中で異なる深さで位置づけられる。【解決手段】【選択図】  図１ａ
2010525840.tif 000002
【特許請求の範囲】
【請求項１】
移動家具部用の引き込み装置であって、ローラ上に巻き付け可能な牽引手段を有し、前記ローラを駆動するための電動モータが設けられ、前記移動家具部を電気駆動部に解除可能に連結するための連結部を有し、前記連結部は、前記移動家具部に固定するために規定されている第１連結部分と、前記牽引手段に連結される第２連結部分とを有し、前記第１連結部分が、少なくとも部分的に前記第２連結部分を受容するための開口部を有する引き込み装置において、ロック機構が設けられ、これにより、前記第１連結部分が、前記第２連結部分と、少なくとも２つの異なる位置において連結可能であり、前記第２連結部分は、前記双方の異なる位置において、前記開口部中で異なる深さで位置づけられることを特徴とする引き込み装置。
【請求項２】
前記ロック機構は、所定の分離力に達した際に、第１連結部分と第２連結部分との間の連結を解除することを特徴とする請求項１に記載の引き込み装置。
【請求項３】
前記所定の分離力の大きさは、前記少なくとも２つの異なる位置に関して等しいことを特徴とする請求項２に記載の引き込み装置。
【請求項４】
前記ロック機構は、力蓄積部により互いに向き合う方向に付勢されたグリップジョーを２つ有し、前記グリップジョーは、ロック状態では前記第２連結部分をはさんで固定することを特徴とする請求項２または３に記載の引き込み装置。
【請求項５】
前記第２連結部分には、前記開口部に差し込むためのピンが配置されていることを特徴とする請求項１〜４のいずれか１項に記載の引き込み装置。
【請求項６】
前記ピンには、前記グリップジョー用に、軸上で互いに間隔を隔てている切り欠き位置が少なくとも２つ配置されていることを特徴とする請求項５に記載の引き込み装置。
【請求項７】
前記各切り欠き位置は、少なくとも１つの細溝を有し、ロック状態ではグリップジョーが前記細溝中に噛合することを特徴とする請求項６に記載の引き込み装置。
【請求項８】
前記グリップジョーがロック状態の際に噛合する前記細溝の数は、各切り欠き位置に関して等しいことを特徴とする請求項７に記載の引き込み装置。
【請求項９】
前記ピンは、その軸上伸張に渡って、多数の隣接する細溝を有することを特徴とする請求項８または９に記載の引き込み装置。
【請求項１０】
前記開口部の前には、前記ピンを捕らえるための漏斗があることを特徴とする請求項５〜９のいずれか１項に記載の引き込み装置。
【請求項１１】
前記第２連結部分は、引き込み装置の前記牽引手段と連結可能であることを特徴とする請求項１〜１０のいずれか１項に記載の引き込み装置。
【請求項１２】
前記引き込み装置は筐体を有し、前記筐体中に、前記ローラおよび前記電動モータが配置されていることを特徴とする請求項１〜１１のいずれか１項に記載の引き込み装置。
【請求項１３】
前記筐体は、前記ローラの解き領域において窓を有し、前記窓の大きさは、前記牽引手段の断面よりも実質的に大きいことを特徴とする請求項１２に記載の引き込み装置。
【請求項１４】
前記ローラは、力蓄積部により巻き付け方向に付勢されていることを特徴とする請求項１〜１３のいずれか１項に記載の引き込み装置。
【発明の詳細な説明】
【技術分野】
【０００１】
本発明は、移動家具部を駆動部に解除可能に連結するための連結部であって、移動家具部に固定するために規定されている第１連結部分と、駆動部に固定されるために規定されている第２連結部分とを有し、第１連結部分が、少なくとも部分的に第２連結部分を受容するための開口部を有するような連結部に関する。
【発明の概要】
【発明が解決しようとする課題】
【０００２】
この種の連結部には、家具本体中の駆動部または移動家具部の組み込み許容誤差のゆえに、第２連結部分が第１連結部分の開口部中にどれほどまで差し込み可能かに関して、必ずしも予測可能でないという問題がある。したがって、組み込み状況によっては、例えば、駆動部ないし移動家具部（したがって対応する連結部分）が、家具本体中に異なる深さで位置づけられうる。
【０００３】
本発明の目的は、第１連結部分と第２連結部分との構成に関して、少なくとも深さ許容誤差を互いに補償するように、この種の連結部をさらに構成することである。
【課題を解決するための手段】
【０００４】
この目的は、請求項１の特徴を有する連結部により達成される。
【０００５】
第２連結部分が第１連結部分中へ差し込まれる深さが様々であることに対して、双方の連結部分のロックを確実にするようなロック機構を設けることにより、本発明の目的で要求された深さ許容誤差が補償される。
【０００６】
連結部の好適な実施形態では、このロック機構は、所定の分離力に達した際に、第１連結部分と第２連結部分との間の連結を解除する。この場合、所定の分離力の大きさが、少なくとも２つの異なる位置に関して等しい場合に有利である。これにより、この連結部を利用する際に、実際の組み込み位置に顕著に依存することがなくなる。
【０００７】
このロック機構は、例えば、力蓄積部（例えば、バネ）により互いに向き合う方向に付勢されたグリップジョーを２つ有することができ、このグリップジョーは、ロック状態では第２連結部分をはさんで固定する。双方の連結部分に対して作用する分離力が、力蓄積部によりグリップジョーにかけられる力を上回ると、ロック機構が開く。これにより、駆動部と移動家具部との連結が外れる。
【０００８】
第２連結部分を第１連結部分の開口部へ差し込むのを容易にするために、第２連結部分には、開口部に差し込むためのピンが配置されうる、ここで、このピンは、グリップジョー用に、軸上で互いに間隔を隔てている切り欠き位置が少なくとも２つ有しうる。
【０００９】
双方の互いに間隔を隔てている切り欠き位置により、第１連結部分および第２連結部分の双方の異なる位置において、双方の連結部分が互いに相対的にロック可能となる。
【００１０】
ここで、各切り欠き位置は少なくとも１つの細溝を有し、ロック状態ではグリップジョーが細溝中に噛合することができる。
【００１１】
そもそも、切り欠き位置毎に、２つ以上の細溝を設けることも可能であり、その結果、グリップジョーが各切り欠き位置中で２つ以上の細溝に噛合されることができる。
【００１２】
分離力の大きさが、上述の連結部分の少なくとも２つの異なる位置に対して同じであるべき場合には、もちろん、グリップジョーがロック状態の際に噛合する細溝の数は、各切り欠き位置に関して確実に等しくなければならない。
【００１３】
この切り欠き位置が、ピンの軸上伸張に渡って、明らかに互いに間隔を隔るように、すなわち、各切り欠き位置の細溝の間に、細溝のないピンの軸上領域があるようにすることも、そもそも可能である。この点は、これにより、双方の連結部分の深さ位置に対して、段階的にのみ互いに対する補償が可能であるという意味では確かに欠点である。
【００１４】
したがって、とりわけ好適であるのは、ピンが、その軸上伸張に渡って、多数の隣接する細溝を有する場合である。この場合、個々の切り欠き位置の間に、細溝のない中間空間は存在しない。ロック状態において、グリップジョーが、それぞれ１つの細溝と噛合すると、各細溝により、適切な切り欠き位置が実現される。これにより、深さ許容誤差に関して、ほぼ無段階の補償が可能となる。
【００１５】
差し込み方向に対して直角方向で（したがって、偏心して接近している場合に）ピンを捕らえることができるために、第１連結部の開口部の前には、漏斗を配置することができる。
【００１６】
本発明の連結部は、そもそも異なる駆動部に適している。とりわけ好適であるのは、第２連結部分が、引き込み装置の牽引手段と連結可能である場合である。
【００１７】
本発明は、さらに、ローラ上に巻き付け可能な牽引手段を備えた移動家具部用の引き込み装置に関し、ここで、ローラを駆動するための電動モータが設けられている。ここで、引き込み装置は、上述の実施形態のうちの１つの連結部による、連結部の牽引手段で連結された第２連結部分を特徴とする。
【００１８】
この種の引き込み装置は、筐体を有し、この筐体中に、ローラおよび電動モータが配置可能である。この場合、筐体が、ローラの解き領域において窓を有し、窓の大きさは、牽引手段の断面よりも実質的に大きい場合、有利である。これにより、牽引手段がほどき領域において、ほどき方向に対して直交方向で（したがって、移動家具部の移動方向に対して直交方向で）、比較的自由に動くことができ、これにより、ほどき方向に垂直方向での組み込み許容誤差の補償が行われる。
【００１９】
例えば、牽引手段の直径は、約０．５ｍｍ〜１ｍｍでありえ、一方で窓の長さと幅とは、約５ｍｍである。
【００２０】
引き込み装置がタッチ・ラッチ機能を有するべきである場合（この場合、ローラは、外部から移動家具部にかけられた力の作用により解除可能である）、ないし、連結部のロックが解除された際に、牽引手段が確かに巻き付けられるべきである場合、ローラは、ほどき方向で、力蓄積部により付勢されうる。
【００２１】
この力蓄積部は、一方では、連結部のロックが解除された際に牽引手段を巻き付けるのに役立つ。他方、力蓄積部は、牽引手段に沿った機械的な張設に役立つ。これにより、使用者が移動家具部に対してかける力は、牽引手段を介してローラに伝達される。したがって移動家具部に対する引張力または押し込み力により、ローラは若干ねじまげられ、これが、適切なセンサー（例えば、回転式ポテンショメータ）により検出可能となる。センサーは、さらに、引き込み装置の電動モータも解除する（タッチ・ラッチ機能）。
【００２２】
本発明のさらなる利点および詳細は、図面および図面に関する説明より明らかになる。
【図面の簡単な説明】
【００２３】
【図１ａ】本発明の連結部の１実施形態の２つの斜視図および分解図である。
【図１ｂ】本発明の連結部の１実施形態の２つの斜視図および分解図である。
【図１ｃ】本発明の連結部の１実施形態の２つの斜視図および分解図である。
【図２ａ】本発明の連結部の異なる作動位置における平面図およびこれに対する各断面図である。
【図２ｂ】本発明の連結部の異なる作動位置における平面図およびこれに対する各断面図である。
【図２ｃ】本発明の連結部の異なる作動位置における平面図およびこれに対する各断面図である。
【図２ｄ】本発明の連結部の異なる作動位置における平面図およびこれに対する各断面図である。
【図３】本発明の連結部を備えた引き込み装置の斜視図である。
【図４】異なる作動位置における、図３のさらなる方向から見た図である。
【図５】移動家具部と、図３および図４に示した引き込み装置とを備えた家具本体の一部分を示す図である。
【図６】図５の詳細図である。
【図７ａ】差し込みプロセスを様々な方向から見た図である。
【図７ｂ】差し込みプロセスを様々な方向から見た図である。
【図７ｃ】差し込みプロセスを様々な方向から見た図である。
【発明を実施するための形態】
【００２４】
図１ａおよび図１ｂは、本発明の連結部１の２つの異なる斜視図である。連結部１は、第１連結部分２を有し、この第１連結部分２は、図１では不図示の移動家具部に取り付け可能である。さらに、第２連結部分３が設けられており、これは、この実施形態では細溝１０を備えたピン９を有する。（図１ｃ中では、明瞭に示すために最も前方の３つの細溝のみに、参照符号１０を付している。）
【００２５】
第１連結部分２は開口部４を有し、この開口部４中に、第２連結部分３のピン９が異なる深さで（例えば、２ｍｍ〜６ｍｍの間）差し込み可能であることがわかる。開口部４の前方には、ピン９を捕らえるための漏斗６が設けられている（特に、図７ａ〜図７ｃ参照）。
【００２６】
この実施形態では、第２連結部分２は、実質的には２つの部分よりなり、この２つの部分の間に、ロック機構５が配置されている。このロック機構５は、旋回可能に支持された２つのグリップジョー８を有し、これらのグリップジョー８は、力蓄積部７によりロック方向へと付勢されている。
【００２７】
とりわけ図２ａ〜図２ｄから明らかであるように（図２ａ〜図２ｃは差し込みプロセスを示し、図２ｄはロック解除プロセスを示している）、双方のグリップジョー８は、ピン９が差し込まれている間は、力蓄積部７の作用に反して、互いに離れるように押圧されている。これにより、力蓄積部７は軽く伸びる。
【００２８】
図２ｃでは連結部１はロック状態にあり、力蓄積部７は、グリップジョー８をピン９の１つの細溝１０に対して押圧している。
【００２９】
とりわけ、図２ｄの断面図からわかるように、力蓄積部７によりかけられた力を上回ると、グリップジョー８は、ピン９により互いに離れるように押圧され、これにより、力蓄積部７は軽く伸びる。これにより、第２連結部分３は第１連結部分２から外れることができる。
【００３０】
本質的には、この実施形態では、多くの細溝１０を設けることにより、ピン９は無段階の様々な程度まで、開口部４中に差し込まれうる。グリップジョー８は、各位置においてピン９をロックできるが、これは、ピン９には、実質的にその全軸上伸張に渡って断続的に細溝１０が備えられているからである。
【００３１】
図３は、不図示の移動家具部用の引き込み装置を示す図である。引き込み装置は、駆動部１２中に形成され、この駆動部は、この引き込み装置以外に、駆出レバー１４を備えた駆出装置も有している。引き込み装置は、筐体１３中に配置され、この筐体１３から、牽引手段１１が引き出されている。牽引手段１１は、上述の図中に示した連結部１の第２連結部分３と連結されている。
【００３２】
筐体１３は、窓１４を有するが、この窓は、牽引手段１１の断面よりも実質的に大きい。これにより、図示した牽引手段１１の方向に直交する方向での組み込み許容誤差の補償が可能となる。深さの補償は、上述の機構により確保されるので、この結果、全空間方向での補償がなされる。
【００３３】
図４は、図３に示された駆動部１２を示すが、この図では、牽引手段１１は、不図示のローラ上に完全に巻き付けられた。
【００３４】
図５は、家具本体１５の一部分を示す図であるが、この図中に、移動家具部としての引き出し１６が可動支持されている。この引き出し１６の背面には、本発明の連結部１の第１連結部分２が配置されている。図５に示された状態では、本発明の連結部１の第２連結部分３は、第１連結部分２と連結されており、その結果、引き出し１６は、牽引手段１１により、家具本体１５中の閉鎖終端位置へ動かされうる。駆出レバー１４は、引き出し１６を家具本体１５から押し出すために役立つ。
【００３５】
図６は、図５の詳細図である。
【００３６】
図７ａ〜図７ｃは、組み込み許容誤差により第２連結部分３が第１連結部分２に対して偏心して配置されている状態を示している。しかしながら、漏斗６が、第２連結部分３のピン９を捕らえることができる点が認識できる。
【図１ａ】
2010525840.tif 000003
【図１ｂ】
2010525840.tif 000004
【図１ｃ】
2010525840.tif 000005
【図２ａ】
2010525840.tif 000006
【図２ｂ】
2010525840.tif 000007
【図２ｃ】
2010525840.tif 000008
【図３】
2010525840.tif 000009
【図４】
2010525840.tif 000010
【図５】
2010525840.tif 000011
【図６】
2010525840.tif 000012
【図７ａ】
2010525840.tif 000013
【図７ｂ】
2010525840.tif 000014
【図７ｃ】
2010525840.tif 000015
【手続補正書】
【提出日】平成21年12月22日(2009.12.22)
【手続補正１】
【補正対象書類名】図面
【補正対象項目名】図２ｃ
【補正方法】変更
【補正の内容】
【図２ｃ】
2010525840.tif 000016
【手続補正２】
【補正対象書類名】図面
【補正対象項目名】図２ｄ
【補正方法】追加
【補正の内容】
【図２ｄ】
2010525840.tif 000017
【国際調査報告】
2010525840.tif 000018
2010525840.tif 000019
2010525840.tif 000020
2010525840.tif 000021